(57)【要約】      （修正有）【課題】車両用シートのスライド装置を動作させる送りねじ機構に、動作を安定化させるスタビライザーブッシュを適切に設ける。【解決手段】スライド装置に設けられた送りねじ機構２０は、送りねじ２１と、ナット２３と、ゴムブッシュ２５と、スペーサーとなるパイプ２６と、を有する。送りねじ２１は、アッパレールに軸回転可能に支持された状態として設けられ、ナット２３は、送りねじ２１に螺合され、ロアレール１１にホルダー２４を介して一体的に固定される。ゴムブッシュ２５は、ナット２３とホルダー２４との間に介在して設けられ、パイプ２６は、ゴムブッシュ２５とホルダー２４との間に介在して設けられる。ゴムブッシュ２５は、ナット２３とパイプ２６とに一体成形され、パイプ２６を介してホルダー２４に組み付けられることでパイプ２６がスペーサーとなってホルダー２４との間に軸方向に隙間Ｔ１を有した状態として設けられている。【選択図】図７
2013237411.tif 000002
【特許請求の範囲】
【請求項１】
フロア上に設けられるロアレールと、車両用シートに設けられて前記ロアレールにスライド可能に組み付けられるアッパレールと、該アッパレールを前記ロアレールに対してスライド動作させる送りねじ機構と、を有するスライド装置であって、
前記送りねじ機構は、
一方のレールのスライド方向に沿って軸方向が延びるように前記一方のレールに支持された状態として設けられる送りねじと、
該送りねじに螺合され、他方のレールに対してホルダーを介して支持された状態として設けられるナットと、
該ナットと前記ホルダーとの間に介在して設けられる弾性体と、
該弾性体と前記ホルダーとの間に介在して設けられるスペーサーと、
を有し、前記ナットを前記送りねじに対して相対的に螺動させる動きによって前記アッパレールを前記ロアレールに対してスライド動作させる構成とされ、
前記弾性体は、前記ナットと前記スペーサーとに一体成形されており、前記スペーサーを介して前記ホルダーに組み付けられることにより前記ホルダー等の干渉物に対して特定方向に隙間を有した状態として設けられていることを特徴とするスライド装置。
【請求項２】
請求項１に記載のスライド装置であって、
前記スペーサーは、その前記弾性体の一部から突出する突出部が、前記ホルダーに対して径方向或いは軸方向の少なくとも一方に突き当てられた状態として固定される構成であり、当該突き当て方向が前記弾性体と前記ホルダーとの間に前記隙間が形成される前記特定方向とされていることを特徴とするスライド装置。
【請求項３】
請求項２に記載のスライド装置であって、
前記弾性体は、前記ナットの外周と軸方向の両面とをそれぞれ被膜する包囲形状とされ、前記スペーサーは、前記弾性体に対して軸方向に貫通して挿通されて当該弾性体から軸方向の双方に突出した状態として設けられる棒状部材とされ、当該棒状部材の軸方向に突出した各端部が前記ホルダーに対してそれぞれ軸方向に突き当てられた状態として固定されることにより、前記弾性体と前記ホルダーとの間に軸方向の前記隙間が形成されると共に、前記ナットに掛かる回転方向の負荷により前記弾性体が回転方向にねじ曲げられる撓み変形が前記弾性体の内部に挿通された前記棒状部材により回転方向に支えられて抑止されるようになっていることを特徴とするスライド装置。
【請求項４】
請求項１から請求項３のいずれかに記載のスライド装置であって、
前記スペーサーが前記弾性体よりも硬質な部材により形成されていることを特徴とするスライド装置。
【発明の詳細な説明】
【技術分野】
【０００１】
本発明は、スライド装置に関する。詳しくは、フロア上に設けられるロアレールと、車両用シートに設けられてロアレールにスライド可能に組み付けられるアッパレールと、アッパレールをロアレールに対してスライド動作させる送りねじ機構と、を有するスライド装置に関する。
【背景技術】
【０００２】
従来、車両用シートのスライド装置として下記特許文献１に開示されたものが知られている。このスライド装置は、車両用シートとフロアとの間に左右一対で設けられ、フロア上に設けられるロアレールと、車両用シートに設けられてロアレールにスライド可能に組み付けられるアッパレールと、を有する。各アッパレールは、各ロアレールとの間に設けられた電動式の送りねじ機構の駆動により、各ロアレールに対してスライド動作するようになっている。上記送りねじ機構は、各送りねじが各アッパレール上に取り付けられて設けられ、各送りねじに対して螺動する各ナットが各ロアレールに取り付けられた構成となっている。上記各ナットは、各ロアレールにボルト締結される各ホルダーに対して、クッションゴムを介して弾性支持された状態として取り付けられている。
【先行技術文献】
【特許文献】
【０００３】
【特許文献１】特許第３６４６３８４号公報
【発明の概要】
【発明が解決しようとする課題】
【０００４】
上記特許文献１に記載の従来技術では、車両本体から伝わる振動や長尺なレール間で生じやすい撓み変形等の作用によりクッションゴムが撓み過ぎると、クッションゴムが潰れきってしまい、クッションゴムによる十分な弾性支持機能が得られないことがある。本発明は、上記問題を解決するものとして創案されたものであって、本発明が解決しようとする課題は、車両用シートのスライド装置を動作させる送りねじ機構に、動作を安定化させるスタビライザーブッシュを適切に設けることにある。
【課題を解決するための手段】
【０００５】
上記課題を解決するために、本発明のスライド装置は次の手段をとる。
第１の発明は、フロア上に設けられるロアレールと、車両用シートに設けられてロアレールにスライド可能に組み付けられるアッパレールと、アッパレールをロアレールに対してスライド動作させる送りねじ機構と、を有するスライド装置である。送りねじ機構は、送りねじと、ナットと、弾性体と、スペーサーと、を有する。送りねじは、一方のレールのスライド方向に沿って軸方向が延びるように、一方のレールに支持された状態として設けられる。ナットは、送りねじに螺合され、他方のレールに対してホルダーを介して支持された状態として設けられる。弾性体は、ナットとホルダーとの間に介在して設けられる。スペーサーは、弾性体とホルダーとの間に介在して設けられる。送りねじ機構は、上記ナットを送りねじに対して相対的に螺動させる動きによってアッパレールをロアレールに対してスライド動作させる構成とされている。弾性体は、ナットとスペーサーとに一体成形されており、スペーサーを介してホルダーに組み付けられることによりホルダー等の干渉物に対して特定方向に隙間を有した状態として設けられている。
【０００６】
この第１の発明によれば、ナットとホルダーとの間に弾性体を設けることにより、ナットがホルダーに対して弾性的に支持される。これにより、車両本体からスライド装置に伝わる振動や長尺なレール間で生じやすい撓み変形等の作用が上記弾性体の撓み作用により吸収されるようになる。上記弾性体は、ナットとスペーサーとに一体成形されてスペーサーを介してホルダーに組み付けられる構成とされることにより、ホルダーに対して特定方向に隙間が確保された状態として保たれる。したがって、例えば、弾性体が撓みやすい方向に対しては、スペーサーによりホルダー等の干渉物との間に広い隙間をもたせ、弾性体が撓みにくい方向に対しては、干渉物との間の隙間を狭めるなど、弾性体に一体成形されるスペーサーの形状により弾性体と干渉物との間の隙間を狙いとする寸法に設定しやすくすることができる。または、上記隙間を設定することにより、弾性体を圧縮ではなくせん断方向に負荷を受けるように構成し、特定方向に対する荷重を軟らかく受けるように構成することができる。このように、車両用シートのスライド装置を動作させる送りねじ機構に、動作を安定化させるスタビライザーブッシュ（弾性体）を適切に設けることができる。
【０００７】
第２の発明は、上述した第１の発明において、次の構成となっているものである。スペーサーは、その弾性体の一部から突出する突出部が、ホルダーに対して径方向或いは軸方向の少なくとも一方に突き当てられた状態として固定される構成である。この突き当て方向が、弾性体とホルダーとの間に隙間が形成される特定方向とされている。
【０００８】
この第２の発明によれば、弾性体の一部から突出するスペーサーの突出部をホルダーに対して突き当てる方向を、隙間の形成方向（特定方向）とすることにより、弾性体とホルダーとの間に、より適切に狙いとする隙間寸法を設定することができる。
【０００９】
第３の発明は、上述した第２の発明において、次の構成となっているものである。弾性体は、ナットの外周と軸方向の両面とをそれぞれ被膜する包囲形状とされている。スペーサーは、弾性体に対して軸方向に貫通して挿通され、弾性体から軸方向の双方に突出した状態として設けられる棒状部材とされている。上記棒状部材とされたスペーサーは、その軸方向に突出した各端部がホルダーに対してそれぞれ軸方向に突き当てられた状態として固定されることにより、弾性体とホルダーとの間に軸方向の隙間が形成されると共に、ナットに掛かる回転方向の負荷により弾性体が回転方向にねじ曲げられる撓み変形が、弾性体の内部に挿通された棒状部材により回転方向に支えられて抑止されるようになっている。
【００１０】
この第３の発明によれば、弾性体に対して軸方向に貫通して設けられるスペーサーにより、弾性体とホルダーとの間に軸方向の隙間が適切に確保されると共に、弾性体がナットに掛かる回転方向の負荷によって回転方向にねじ曲げられる撓み変形が、回転方向に支えられて抑止されるようになる。すなわち、弾性体に上記ねじ曲げられるようなせん断方向の負荷が掛けられると、弾性体単体では撓みやすく弱い弾性支持力しか発揮できないが、上記スペーサーによる回転方向の支えができることで、このようなせん断方向に受けるべき負荷を圧縮方向の負荷として受けることができ、強い弾性支持力が発揮されるようになる。このように、上記弾性体に軸方向に貫通して設けられるスペーサーにより、弾性体の軸方向、半径方向、及び回転方向の各方向に対する弾性支持力を適切に高めることができる。
【００１１】
第４の発明は、上述した第１から第３のいずれかの発明において、スペーサーが弾性体よりも硬質な部材により形成されているものである。
【００１２】
この第４の発明によれば、スペーサーによる弾性体の位置保持をより適切に行うことができる。
【図面の簡単な説明】
【００１３】
【図１】実施例１の車両用シートの概略構成を示した斜視図である。
【図２】スライド装置の分解斜視図である。
【図３】スライド装置の組み付け状態を示した斜視図である。
【図４】スライド装置の正面図である。
【図５】送りねじ機構の分解斜視図である。
【図６】送りねじ機構の組み付け状態を示した斜視図である。
【図７】図６のVII-VII線断面図である。
【図８】実施例２のスライド装置の分解斜視図である。
【図９】送りねじ機構の分解斜視図である。
【図１０】送りねじ機構の組み付け状態を示した斜視図である。
【図１１】図１０のXI-XI線断面図である。
【図１２】実施例３のスライド装置の要部拡大斜視図である。
【図１３】図１２のXIII-XIII線断面図である。
【発明を実施するための形態】
【００１４】
以下に、本発明を実施するための形態について、図面を用いて説明する。
【実施例１】
【００１５】
始めに、実施例１のスライド装置１０の構成について、図１〜図７を用いて説明する。本実施例のスライド装置１０は、図１に示すように、車両用シート１とフロアＦとの間に左右一対で設けられており、車両用シート１のフロアＦに対する位置を前後方向に調節できるようにする構成となっている。ここで、車両用シート１は、自動車の運転席シートとして配設されており、着座乗員の背凭れとなるシートバック２と、着座部となるシートクッション３と、を備えて構成されている。シートバック２は、その左右両サイドの下端部が、シートクッション３の左右両サイドの後端部に連結されて支持されている。シートクッション３は、その底面部が、前述した左右一対のスライド装置１０を介して、フロアＦ上に前後スライド可能な状態に連結されて支持されている。
【００１６】
上述した各スライド装置１０は、それらの間に配設された電動モータＭの駆動により、車両用シート１をフロアＦに対して前後方向にスライドさせたり、スライドさせた位置で固定したりするようになっている。以下、各スライド装置１０の具体的な構成について図２〜図７を用いて詳しく説明する。なお、各スライド装置１０は、互いに左右対称な構成となっており、実質的な構成は同じものとなっているため、以下では、これらを代表して、図１（図３）の紙面向かって右側（着座乗員から見て左側）に示されるスライド装置１０の構成を中心に説明することとする。図２に示すように、スライド装置１０は、ロアレール１１と、アッパレール１２と、複数の鋼球１３（図４参照）と、送りねじ機構２０と、から構成されている。ここで、ロアレール１１が本発明の「他方のレール」に相当し、アッパレール１２が本発明の「一方のレール」に相当する。
【００１７】
ロアレール１１は、車両前後方向に長尺な１枚の鋼板材を短手方向に所々に折り曲げ加工して形成したものであり、フロアＦ上にボルト締結されて一体的に固定された状態として設けられている。上記ロアレール１１は、その横断面形状が長手方向に略一様となるレール形状に形成されている。具体的には、図４に示すように、ロアレール１１は、フロアＦ上に上方側に面を向けて設置される底面部１１Ａと、底面部１１Ａの左右両側部から上方側に延びて互いに内向する側に逆Ｕ字状に曲げ返される形とされた左右一対のロア側ひれ部１１Ｂ，１１Ｃと、を有する横断面形状に形成されている。
【００１８】
図２に示すように、アッパレール１２は、上述したロアレール１１と同様に、車両前後方向に長尺な１枚の鋼板材を短手方向に所々に折り曲げ加工して形成したものである。上記アッパレール１２は、上述したロアレール１１の長手方向のどちらか一方側の開口端部からロアレール１１内に差し込まれることにより、ロアレール１１に対して長手方向にスライド可能な状態に組み付けられるようになっている。具体的には、図４に示すように、アッパレール１２は、上記ロアレール１１の左右のロア側ひれ部１１Ｂ，１１Ｃの間の隙間１１Ｆを通って高さ方向に形状が延びる左右一対の縦面部１２Ａと、これら縦面部１２Ａの上端部間に架け渡される形の上面部１２Ｂと、各縦面部１２Ａの下端部から互いに相反する外向きにＵ字状に反り上がるように曲げ返されて延びる形とされた左右一対のアッパ側ひれ部１２Ｃ，１２Ｄと、を有する横断面形状に形成されている。
【００１９】
上記アッパレール１２は、そのＵ字状に曲げ返された左右のアッパ側ひれ部１２Ｃ，１２Ｄが、上述したロアレール１１の逆Ｕ字状に曲げ返された左右のロア側ひれ部１１Ｂ，１１Ｃの形状内にそれぞれ掛かり合うように、ロアレール１１内に差し込まれるようになっている。このように差し込まれることで、アッパレール１２は、ロアレール１１に対して、上述した左右のアッパ側ひれ部１２Ｃ，１２Ｄとロア側ひれ部１１Ｂ，１１Ｃとの掛かり構造によって、ロアレール１１の底面部１１Ａにより下方側から支持されると共に、上方側に外れ止め（剥離防止）された状態として組み付けられている。
【００２０】
なお、本実施例では、上述したアッパレール１２の左右のアッパ側ひれ部１２Ｃ，１２Ｄの両外側の底部と、ロアレール１１の底面部１１Ａの両外側の角部と、の間に、それぞれ転動体となる複数の鋼球１３が介在して設けられている。また、アッパレール１２の左右のアッパ側ひれ部１２Ｃ，１２Ｄの各上部と、ロアレール１１の左右のロア側ひれ部１１Ｂ，１１Ｃの両内側の上角部と、の間にも、それぞれ転動体となる複数の鋼球１３が介在して設けられている。これら鋼球１３の配設により、アッパレール１２は、ロアレール１１に対して、上下左右等の各横断面方向にガタ付きを起こすことなく、前後方向にスムーズにスライドすることができるように支えられた状態とされている。
【００２１】
図２に示すように、送りねじ機構２０は、丸棒状の送りねじ２１と、送りねじ２１に電動モータＭからの駆動力を伝達するギヤユニット２２と、送りねじ２１に螺合されて金属製の２枚のホルダー２４に取り付けられて支持される金属製のナット２３と、ナット２３を各ホルダー２４に対して弾性支持するように介在するゴムブッシュ２５と、ゴムブッシュ２５と各ホルダー２４との間に介在する金属製筒状の４本のパイプ２６と、から構成されている。ここで、ナット２３が本発明の「ナット」に相当し、ゴムブッシュ２５が本発明の「弾性体」に相当し、パイプ２６が本発明の「スペーサー」に相当する。
【００２２】
送りねじ２１は、アッパレール１２のレール長（前後長）よりは短いが、アッパレール１２のレール長に近いねじ軸長さを有して形成されている。上記送りねじ２１は、アッパレール１２のスライド方向に沿って軸方向が延びるように向けられた状態として、その両端部がＬ字ブラケット２１Ａ，２１Ｂによって軸回転可能に支持された状態として、アッパレール１２の上面部１２Ｂの底部に取り付けられた状態とされている。
【００２３】
具体的には、上記送りねじ２１は、その前側もしくは後側の端部を、後述するナット２３に通して螺合させた後、各Ｌ字ブラケット２１Ａ，２１Ｂに組み付けられてアッパレール１２の上面部１２Ｂの底部に取り付けられた状態とされている。各Ｌ字ブラケット２１Ａ，２１Ｂは、アッパレール１２の上面部１２Ｂの底部にそれぞれボルト締結されて一体的に固定されている。上記連結により、送りねじ２１は、アッパレール１２のレール形状内に収まる位置に配置されて、アッパレール１２により上方側から見えないように被覆された状態として、アッパレール１２に取り付けられた状態とされている。
【００２４】
ギヤユニット２２は、ウォーム２２Ａと、ウォームホイール２２Ｂと、ギヤボックス２２Ｃと、から成る。ウォーム２２Ａは、駆動軸Ｍａを介して電動モータＭに動力伝達可能な状態に連結される。ウォームホイール２２Ｂは、ウォーム２２Ａに対して動力伝達可能な状態に噛合して組み付けられる。ギヤボックス２２Ｃは、ウォーム２２Ａとウォームホイール２２Ｂとを噛合させた状態に保持する。上述したウォーム２２Ａとウォームホイール２２Ｂとは、互いの軸方向が直交する向きに配置された状態とされている。ウォーム２２Ａは、スライド装置１０の左右方向に軸方向が向けられた状態とされており、ウォームホイール２２Ｂは、ウォーム２２Ａの下部に噛合した状態として組み付けられており、スライド装置１０のスライド方向（送りねじ２１の軸方向）に軸方向が向けられた状態とされている。上記ウォームホイール２２Ｂは、更に、前述した送りねじ２１の前端部に一体的に軸連結されており、ウォーム２２Ａの軸回転により伝達された回動力を送りねじ２１に伝達して送りねじ２１を軸回転させるようになっている。
【００２５】
ギヤボックス２２Ｃは、アッパレール１２の前端上部に部分的に空けられた空所に嵌め込まれるかたちで、アッパレール１２に一体的に接合されて組み付けられている。詳しくは、図３に示すように、上記ギヤボックス２２Ｃは、上述した駆動軸Ｍａが挿通されるウォーム２２Ａの中心部が、ロアレール１１のロア側ひれ部１１Ｂ，１１Ｃの上面高さよりも高い位置で保持されるようにアッパレール１２の上部箇所に組み付けられた状態とされている。上記ロアレール１１のロア側ひれ部１１Ｂ，１１Ｃより高い位置に配置されたウォーム２２Ａに対して、駆動軸Ｍａがアッパレール１２の図２に示す左側（シート内側）の側部から挿通されて一体的に軸連結されることで、電動モータＭの駆動力が駆動軸Ｍａを介してウォーム２２Ａへと伝達されるようになる。
【００２６】
図５〜図６に示すように、ナット２３は、外周形状が四角形となる角柱状の形となっており、その外周面全体と軸方向の中心孔を残す各面とが、ナット２３よりもひとまわり大きな円筒型のゴムブッシュ２５によって外周側と軸方向の両側とからそれぞれ被膜されて包囲された構成となっている。上記ゴムブッシュ２５は、ナット２３に一体成形されて形成されており、その円筒形状の中心部にナット２３が埋設されて互いの軸心が同一な状態とされている。
【００２７】
また、上記ゴムブッシュ２５内には、その円周方向の４箇所の位置に、金属製筒状のパイプ２６がそれぞれ軸方向に貫通して挿通された状態として設けられている。これらパイプ２６は、ゴムブッシュ２５内におけるナット２３の外周側箇所に円周方向に均等配置されて設けられている。詳しくは、各パイプ２６は、これらの円周方向の配置点を順に繋いで形成される四角形が、ナット２３の外周面により描かれる四角形に対して、円周方向に４５度ずれた配置となる箇所にそれぞれ設けられている。これにより、各パイプ２６は、外周面が四角形とされたナット２３の各外周面と半径方向に対向する位置にそれぞれ配置された状態とされている。上述した各パイプ２６は、その軸長がゴムブッシュ２５の軸長よりも長く、ゴムブッシュ２５に対して軸方向の両側にそれぞれ同じ寸法（図７に示す隙間Ｔ１の寸法）ずつ突出した状態として、ゴムブッシュ２５に一体成形された状態とされている。
【００２８】
上述したゴムブッシュ２５は、その軸方向の各端面から突出する各パイプ２６の端部を、それぞれ、Ｌ字板により形成された２枚のホルダー２４の各縦面部に突き当てて締結することにより、各ホルダー２４に対して一体的に取り付けられている。具体的には、各ホルダー２４の縦面部には、その中央箇所に、送りねじ２１を軸方向に貫通して挿通させられるようにする正円状の中心孔２４Ａと、中心孔２４Ａの周囲４箇所に、各パイプ２６の端部をあてがえて締結ボルト２７Ａを差し込んで締結させられるようにする小径のボルト差孔２４Ｂと、が形成されている。
【００２９】
各中心孔２４Ａは、図７に示すように、送りねじ２１の軸径よりもひとまわり大きな形状となっており、各ホルダー２４にゴムブッシュ２５が取り付けられた状態において、ナット２３の中心孔と同軸上の位置に並び、送りねじ２１を各ホルダー２４に貫通させるようにナット２３の中心孔内に軸方向に挿入して螺合させられるようになっている。各ボルト差孔２４Ｂは、上述した各パイプ２６の筒孔（内径）と同じ大きさの正円孔形状に形成されている。
【００３０】
上述した各ホルダー２４の各ボルト差孔２４Ｂが形成された箇所に対し、各パイプ２６の端部をそれぞれ軸方向に突き当てて、各ボルト差孔２４Ｂと各パイプ２６の筒孔とを互いに連通させた状態にして、これらに貫通させるように長尺状の締結ボルト２７Ａをそれぞれ一方側のホルダー２４の外側から軸方向に差し込んで、他方側のホルダー２４の外側に突き出た先の各端部をそれぞれ締結ナット２７Ｂにより締結することにより、各パイプ２６が各ホルダー２４の間にそれぞれ軸方向に突き当てられた状態となって一体的に締結されて固定された状態となる。
【００３１】
上記の締結により、軟質なゴムブッシュ２５が金属製筒状の硬質な４本のパイプ２６を介して各ホルダー２４に一体的に取り付けられた状態となる。これにより、ゴムブッシュ２５内に包囲されたナット２３が、ゴムブッシュ２５を介してホルダー２４に弾性支持された状態に取り付けられた状態となる。上記ゴムブッシュ２５が取り付けられた各ホルダー２４は、図６〜図７に示すように、それらの底面部をロアレール１１の底面部１１Ａ上にそれぞれボルト締結して固定することによりロアレール１１に一体的に固定された状態となる。これにより、上記ナット２３が各ホルダー２４を介してロアレール１１に一体的（弾性的）に支持された状態に取り付けられた状態となる。
【００３２】
上記取り付けられた状態では、ゴムブッシュ２５から軸方向の双方に突出する各パイプ２６の端部が各ホルダー２４に軸方向に突き当てられていることにより、ゴムブッシュ２５と各ホルダー２４との間には、それぞれ、各パイプ２６の突出した長さ分の軸方向の隙間Ｔ１が形成される。これらの隙間Ｔ１により、ゴムブッシュ２５は、送りねじ２１と各ホルダー２４（ロアレール１１）との間に軸方向にずらされるように作用する負荷を、送りねじ２１と軸方向に一体のナット２３と、各ホルダー２４（ロアレール１１）と軸方向に一体の各パイプ２６と、の間で軸方向にずらされるせん断方向の負荷として受けられるようになる。したがって、このようなせん断方向に掛けられる負荷に対しては、ゴムブッシュ２５は撓みやすいため、上記の負荷を軟らかく受け止められるようになる。
【００３３】
また、上記の負荷によりゴムブッシュ２５が一定以上撓み、ゴムブッシュ２５とどちらか一方のホルダー２４との間の隙間Ｔ１が詰められた状態となると、同側においてナット２３の軸方向の面を被膜しているゴムブッシュ２５の被膜部分がホルダー２４に押し当てられた状態となる。したがって、上記ゴムブッシュ２５が一定以上撓んだ後は、上記ゴムブッシュ２５のナット２３の軸方向の面を被膜する部分が、ナット２３とホルダー２４との間に介在して押し潰される方向（圧縮方向）の負荷を受けられる状態となる。よって、このような圧縮方向に掛けられる負荷に対しては、ゴムブッシュ２５は撓みにくいため、上記の負荷を高い弾性支持力で受け止めて、ゴムブッシュ２５の撓み変形を一定範囲内に抑えられるようになる。
【００３４】
また、上記取り付けにより、ゴムブッシュ２５は、送りねじ２１と各ホルダー２４（ロアレール１１）との間に半径方向にずらされるように作用する負荷を、送りねじ２１と半径方向に一体のナット２３と、各ホルダー２４（ロアレール１１）と半径方向に一体の各パイプ２６と、の間で半径方向に押し潰す圧縮方向の負荷として受けられるようになる。したがって、このような圧縮方向に掛けられる負荷に対しては、ゴムブッシュ２５は撓みにくいため、上記の負荷を高い弾性支持力で受け止めて、ゴムブッシュ２５の撓み変形を一定範囲内に抑えられるようになる。
【００３５】
なお、上記の半径方向に作用する負荷が、各パイプ２６の配置間領域に斜めに掛けられる場合においても、ゴムブッシュ２５には圧縮方向の負荷が掛けられて、上記の負荷を高い弾性支持力で受け止めて、ゴムブッシュ２５の撓み変形を一定範囲内に抑えられるようになっている。すなわち、ゴムブッシュ２５は、送りねじ２１と各ホルダー２４（ロアレール１１）との間に上記斜めの半径方向にずらされるように作用する負荷を受けると、送りねじ２１と半径方向に一体のナット２３が各パイプ２６の配置間領域に押し込まれるように力を受け、押し込まれたナット２３の外周の２面が、対向する各パイプ２６に向かって押圧力をかけて、これらの間でゴムブッシュ２５が半径方向に押し潰される圧縮方向の負荷が掛けられるからである。
【００３６】
また、上記取り付けにより、ゴムブッシュ２５は、送りねじ２１の駆動回転によりナット２３と各ホルダー２４（ロアレール１１）との間に円周方向にずらされるように作用する負荷を、ナット２３と、各ホルダー２４（ロアレール１１）と半径方向に一体の各パイプ２６と、の間で半径方向に押し潰す圧縮方向の負荷として受けられるようになっている。すなわち、ゴムブッシュ２５は、送りねじ２１の駆動回転により円周方向に力を受けたナット２３と各ホルダー２４（ロアレール１１）との間に円周方向の負荷が掛かると、外周面が四角形状のナット２３の各外周面がゴムブッシュ２５をそれぞれ円周方向に斜めに押圧し、これらの外周側に位置する各パイプ２６との間でゴムブッシュ２５が押し潰される圧縮方向の負荷が掛けられるからである。したがって、このような圧縮方向に掛けられる負荷に対しては、ゴムブッシュ２５は撓みにくいため、上記の負荷を高い弾性支持力で受け止めて、ゴムブッシュ２５の撓み変形を一定範囲内に抑えられるようになる。
【００３７】
ここで、ゴムブッシュ２５が上記のように円周方向の力に対して高い弾性支持力を発揮できる構成となっていると、その弾発力（反発力）により、ナット２３が送りねじ２１に噛み込んでしまうことが危惧される。しかし、ナット２３と送りねじ２１は共に金属製であるため、互いに噛み込みにくくなっており、上記のような問題は起こらないようになっている。以上が、ナット２３のロアレール１１に対する取付構造となっている。
【００３８】
図３に示すように、上記構成の各スライド装置１０は、電動モータＭの駆動が止められた状態では、そのブレーキ力により、各アッパレール１２の各ロアレール１１に対するスライドが止められた状態として保持されている。各スライド装置１０は、上記電動モータＭが図示しないスイッチの操作によって正転・逆転操作されることにより、その駆動力が各駆動軸Ｍａを介して各送りねじ２１に伝えられ、各送りねじ２１が各ナット２３に対して軸回転する動きに伴って、各アッパレール１２が各ロアレール１１に対して前方向或いは後ろ方向にスライドするように移動操作されるようになっている。
【００３９】
上記各アッパレール１２が各ロアレール１１に対して前後方向にスライドすることのできる可動範囲は、各ナット２３が各送りねじ２１に対して螺動できる範囲となっている。具体的には、各送りねじ２１が、各アッパレール１２のレール長に近いねじ軸長さを有して形成されていることにより、各ナット２３が各送りねじ２１上を広い軸方向範囲に亘って螺動することができるようになっており、各アッパレール１２は、それらの前端が各ロアレール１１の前端を前側に超える位置や、それらの後端が各ロアレール１１の後端を後ろ側に超える位置へと、広い範囲に亘って前後方向にスライドすることができるようになっている。
【００４０】
各アッパレール１２が各ロアレール１１から前側や後ろ側に突き出る位置までスライドして、各ロアレール１１の底面部１１Ａが外部に露呈しても、各送りねじ２１が各アッパレール１２の下部に取り付けられているため、これら送りねじ２１を始めとする各送りねじ機構２０の構成部材は、各ロアレール１１上には露呈しないようになっている。したがって、各ロアレール１１の外部に露呈した部分を着座者が土足で踏むなどして、各ロアレール１１内に土や埃等の異物が入り込んでも、各送りねじ機構２０の動作機能する部分には異物は付着しないため、各送りねじ機構２０の動作に不具合が生じることがない。
【００４１】
このように、本実施例のスライド装置１０によれば、ナット２３とホルダー２４との間に弾性体となるゴムブッシュ２５を設けることにより、ナット２３がホルダー２４に対して弾性的に支持されることとなる。これにより、車両本体からスライド装置１０に伝わる振動や長尺なレール１１，１２間で生じやすい撓み変形等の作用が上記ゴムブッシュ２５の撓み作用によって吸収されるようになる。上記ゴムブッシュ２５は、ナット２３と各パイプ２６（スペーサー）とに一体成形されて各パイプ２６を介して各ホルダー２４に組み付けられる構成とされることにより、各ホルダー２４に対して特定方向（軸方向や径方向）に予定した隙間（本実施例では軸方向の隙間Ｔ１）が確保された状態として保たれる。
【００４２】
したがって、例えば、本実施例では特に説明してはいないが、ゴムブッシュ２５が撓みやすい方向に対しては、各パイプ２６によりアッパレール１２等の干渉物との干渉を避けるように干渉物との間に広い隙間をもたせ、ゴムブッシュ２５が撓みにくい方向に対しては、アッパレール１２等の干渉物との間の隙間を狭めるなど、ゴムブッシュ２５に一体成形される各パイプ２６の形状によりゴムブッシュ２５と干渉物との間の隙間を狙いとする寸法に設定しやすくすることができる。または、本実施例で示したように、ゴムブッシュ２５と各ホルダー２４との間に軸方向の隙間Ｔ１を設定することにより、ゴムブッシュ２５を圧縮ではなくせん断方向に負荷を受けるように構成し、特定方向（軸方向）に対する荷重を軟らかく受けるように構成することができる。このように、車両用シート１のスライド装置１０を動作させる送りねじ機構２０に、動作を安定化させるスタビライザーブッシュ（ゴムブッシュ２５）を適切に設けることができる。
【００４３】
また、ゴムブッシュ２５の一部から突出する各パイプ２６の突出部をホルダー２４に対して突き当てる方向を、隙間Ｔ１の形成方向（特定方向：本実施例では軸方向）とすることにより、ゴムブッシュ２５と各ホルダー２４との間に、より適切に狙いとする隙間寸法を設定することができる。
【００４４】
また、ゴムブッシュ２５は、ナット２３の外周と軸方向の両面とをそれぞれ被膜する包囲形状とされている。各パイプ２６は、ゴムブッシュ２５に対して軸方向に貫通して挿通され、ゴムブッシュ２５から軸方向の双方に突出した状態として設けられる棒状部材とされている。上記棒状部材とされた各パイプ２６は、その軸方向に突出した各端部が各ホルダー２４に対してそれぞれ軸方向に突き当てられた状態として固定されることにより、ゴムブッシュ２５と各ホルダー２４との間に軸方向の隙間Ｔ１が形成されると共に、ナット２３に掛かる回転方向の負荷によりゴムブッシュ２５が回転方向にねじ曲げられる撓み変形が、ゴムブッシュ２５の内部に挿通された各パイプ２６により回転方向に支えられて抑止されるようになる。
【００４５】
このように、ゴムブッシュ２５に対して軸方向に貫通して設けられる各パイプ２６により、ゴムブッシュ２５と各ホルダー２４との間に軸方向の隙間Ｔ１が適切に確保されると共に、ゴムブッシュ２５がナット２３に掛かる回転方向の負荷によって回転方向にねじ曲げられる撓み変形が、回転方向に支えられて抑止されるようになる。すなわち、ゴムブッシュ２５に上記ねじ曲げられるようなせん断方向の負荷が掛けられると、ゴムブッシュ２５単体では撓みやすく弱い弾性支持力しか発揮できないが、上記各パイプ２６による回転方向の支えができることで、このようなせん断方向にかかるべき負荷を圧縮方向の負荷として受けることができ、強い弾性支持力が発揮されるようになる。このように、上記ゴムブッシュ２５に軸方向に貫通して設けられる各パイプ２６により、ゴムブッシュ２５の軸方向、半径方向、及び回転方向の各方向に対する弾性支持力を適切に高めることができる。また、各パイプ２６がゴムブッシュ２５よりも硬質な部材により形成されていることにより、各パイプ２６によるゴムブッシュ２５の位置保持や負荷の受け止めをより適切に行うことができる。
【００４６】
なお、上記パイプ２６の設定数や設定箇所を変えることにより、ゴムブッシュ２５の軸方向、半径方向、及び回転方向の各弾性支持力を種々に変更することができる。例えば、パイプ２６を、ゴムブッシュ２５における左右２箇所にのみ設定する水平方向配置とすることにより、ゴムブッシュ２５を高さ方向に撓ませやすくすることができる。すなわち、高さ方向に掛かる荷重によってゴムブッシュ２５にせん断方向の負荷が主として掛かるようにすることができる。したがって、前後方向に長尺な各レール１１，１２間で生じやすい、高さ方向の相対変位量を、ゴムブッシュ２５の高さ方向の撓み変形によって吸収させやすくすることができる。
【００４７】
また、パイプ２６を、ゴムブッシュ２５における上下２箇所にのみ設定する垂直方向配置とすることにより、ゴムブッシュ２５を水平方向に撓ませやすくすることができる。すなわち、水平方向に掛かる荷重によってゴムブッシュ２５にせん断方向の負荷が主として掛かるようにすることができる。したがって、各レール１１，１２間で生じる水平方向の相対変位量を、ゴムブッシュ２５の水平方向の撓み変形によって吸収させやすくすることができる。このように、パイプ２６の設定数や設定箇所の適宜選択により、ゴムブッシュ２５の狙いとする方向に対しての撓みやすさを適宜簡便に調節することができる。パイプ２６の設定数を増やすことによりゴムブッシュ２５の弾性支持力を高められることは言うまでもない。
【実施例２】
【００４８】
続いて、実施例２のスライド装置１０の構成について、図８〜図１１を用いて説明する。なお、本実施例では、実施例１で説明したスライド装置１０と実質的な構成及び作用が同じとなる箇所については、これらと同一の符号を付して説明を省略し、異なる箇所について詳しく説明することとする。本実施例のスライド装置１０は、図８〜図１０に示すように、内部にナット２３が一体に加硫接着された円筒型のゴムブッシュ２５を取り付ける金属製のホルダー２４が、ゴムブッシュ２５を下方側から圧入して一体的に嵌合させられるように構成された半円筒型の容器形状となっている。ここで、ナット２３が本発明の「ナット」に相当し、ゴムブッシュ２５が本発明の「弾性体」に相当する。
【００４９】
また、本実施例では、ナット２３は、外周形状が正円形状となる円柱型の形となっており、その外周面全体と軸方向の中心孔を残す各面とが、ナット２３よりもひとまわり大きな円筒型のゴムブッシュ２５によって外周側と軸方向の両側とからそれぞれ被膜されて包囲された構成となっている。上記ゴムブッシュ２５は、ナット２３に一体に加硫接着されており、その円筒形状の中心部にナット２３が埋設されて互いの軸心が同一な状態とされている。
【００５０】
上記ゴムブッシュ２５には、その軸方向の両端部に、中央に送りねじ２１を通せる大きさの孔の空いた金属製の円板形状のカバー２８が一体的に接合されている。ここで、各カバー２８がそれぞれ本発明の「スペーサー」に相当する。上記各カバー２８は、図１１に示すように、ゴムブッシュ２５（及びナット２３）と互いの軸心が同一となるようにゴムブッシュ２５の軸方向の各面にあてがえられて加硫接着により一体的に面接合された状態とされている。これら各カバー２８の円板形状の外径は、ゴムブッシュ２５の円筒形状の外径よりも大きく、かつ、上述した半円筒型のホルダー２４の内径とほぼ同径であり、ホルダー２４内に「しまりばめ」の寸法関係で圧入により内側面に強く押し付けられた状態として一体的に強嵌合される構成となっている。詳しくは、上述した各カバー２８の外周部は、互いに内向する軸方向側にフランジ状に円筒型の面が張り出した形状となっており、ホルダー２４の内周面に広く面当接した状態としてあてがえられるようになっている。
【００５１】
したがって、ゴムブッシュ２５は、上記各カバー２８を介したホルダー２４への組み付けにより、ホルダー２４との間に各カバー２８がゴムブッシュ２５から半径方向に張り出す（突出する）長さ分の隙間Ｔ２が半径方向に形成された状態としてホルダー２４に取り付けられた状態となる。この隙間Ｔ２は、上記各カバー２８がホルダー２４内に嵌合されて組み付けられる高精度な位置決め固定構造により、ゴムブッシュ２５が半円筒型のホルダー２４によって囲われる円周方向の全域に亘って確保されるようになっている。上記ゴムブッシュ２５が取り付けられたホルダー２４は、図１０〜図１１に示すように、それらの底面部をロアレール１１の底面部１１Ａ上にそれぞれボルト締結して固定することによりロアレール１１に一体的に固定された状態となる。これにより、上記ナット２３がホルダー２４を介してロアレール１１に一体的（弾性的）に支持された状態に取り付けられた状態となる。
【００５２】
上記取り付けられた状態では、ゴムブッシュ２５から半径方向の外側に突出する各カバー２８の周縁部が、ホルダー２４の内周面に突き当てられていることにより、ゴムブッシュ２５とホルダー２４との間には、各カバー２８の突出した長さ分の隙間Ｔ２が形成されている。この隙間Ｔ２により、ゴムブッシュ２５は、送りねじ２１とホルダー２４（ロアレール１１）との間に半径方向にずらされるように作用する負荷を、送りねじ２１と半径方向に一体のナット２３と、ホルダー２４（ロアレール１１）と半径方向に一体の各カバー２８と、の間で半径方向にずらされるせん断方向の負荷として受けられるようになっている。したがって、このようなせん断方向に掛けられる負荷に対しては、ゴムブッシュ２５は撓みやすいため、上記の負荷を軟らかく受け止められるようになる。
【００５３】
また、上記取り付けにより、ゴムブッシュ２５は、送りねじ２１とホルダー２４（ロアレール１１）との間に軸方向にずらされるように作用する負荷を、送りねじ２１と軸方向に一体のナット２３と、ホルダー２４（ロアレール１１）と軸方向に一体の各カバー２８と、の間で軸方向に押し潰す圧縮方向の負荷として受けられるようになっている。したがって、このような圧縮方向に掛けられる負荷に対しては、ゴムブッシュ２５は撓みにくいため、上記の負荷を高い弾性支持力で受け止めて、ゴムブッシュ２５の撓み変形を一定範囲内に抑えられるようになる。
【００５４】
このように、本実施例のスライド装置１０によれば、ゴムブッシュ２５は、ナット２３と各カバー２８（スペーサー）とに一体に加硫接着されて各カバー２８を介してホルダー２４に組み付けられる構成とされることにより、ホルダー２４に対して特定方向（半径方向）に予定した隙間Ｔ２が確保された状態として保たれる。また、上記のように容器型（半円筒型）のホルダー２４内にゴムブッシュ２５を一体に接着させた状態に組み付けるような組み付け性の悪い構造に対して、ゴムブッシュ２５に予めカバー２８を一体に接着しておき、各カバー２８をホルダー２４内に圧入嵌合させて組み付ける構成とすることにより、簡単な組み付け作業によって高精度な位置決めが行える構成とすることができる。
【００５５】
なお、上記各カバー２８をホルダー２４内に押し込んで組み付けるだけでは、これらの結合力が十分に得られない場合には、各カバー２８とホルダー２４との間に軸方向に嵌まり合う凹凸の嵌合形状を設けてもよい。これにより、各カバー２８をホルダー２４内に押し込んで互いの凹凸形状を嵌合させた状態に組み付けることにより、両者を径方向にも回転方向にも強固に結合した状態にすることができる。もしくは、ホルダー２４の一部に貫通孔を設けておき、各カバー２８を組み込んだ後に、貫通孔を通じて両者を接着させて両者の結合力を高めるようにしてもよい。
【実施例３】
【００５６】
続いて、実施例３のスライド装置１０の構成について、図１２〜図１３を用いて説明する。本実施例のスライド装置１０は、実施例２で説明したゴムブッシュ２５（弾性体）の形状が、円柱形状のナット２３の軸方向の中心孔を残す各面のみを被膜する構成となっているものである。それ以外の構成は、実施例２で説明した構成と同じである。ゴムブッシュ２５をこのような形状としたものであっても、ゴムブッシュ２５を、各カバー２８（スペーサー）を介してホルダー２４に組み付ける構成とすることで、ホルダー２４に対して特定方向（半径方向）に予定した隙間Ｔ２を確保することのできる構成とすることができる。そして、容器型（半円筒型）のホルダー２４内にゴムブッシュ２５を一体接着させた状態に組み付けるような組み付け性の悪い構造に対して、ゴムブッシュ２５に予めカバー２８を一体に接着（加硫接着）しておき、各カバー２８をホルダー２４内に圧入嵌合させて組み付ける構成とすることで、簡単な組み付け作業によって高精度な位置決めが行える構成とすることができる。
【００５７】
以上、本発明の実施形態を３つの実施例を用いて説明したが、本発明は上記実施例のほか各種の形態で実施できるものである。例えば、スライド装置１０は、車両用シートとフロアとの間に、幅広なものが１つ、もしくは所定幅のものが３つ以上並べられて配設されるものであってもよい。また、上記各実施例では、本発明の「送りねじ」が設けられる「一方のレール」をアッパレール１２とし、本発明の「ナット」が設けられる「他方のレール」をロアレール１１としたものを例示したが、それぞれ組み付けられるレールが逆であってもよい。
【００５８】
また、上記各実施例では、本発明の「弾性体」に相当するものとしてゴムブッシュ２５を例示したが、弾性体として周知な他の樹脂材やエラストマー等の弾性部材を適用してもよい。また、本発明の「スペーサー」は、上記各実施例で示した形状のものに限定されず、弾性体とホルダーとの間に介在して設けられることで、弾性体とホルダーとの間に特定方向の隙間を形成するものであれば、種々の形態のものを適用することができるものである。また、上記各実施例では、本発明の「スペーサー」が「ホルダー」に突き当てられる方向が「隙間」の形成される「特定方向」とされたものを例示したが、「スペーサー」を突き当てる方向とは垂直な方向を、「隙間」の形成される「特定方向」とする構成であってもよい。また、上記各実施例では、ナットが金属製とされたものを例示したが、樹脂製であってもよい。スペーサーやホルダーも同様である。但し、ナットやスペーサーやホルダーに適用される材料は、弾性体よりも硬質である方が良い。
【００５９】
また、スライド装置が車両用シートとフロアとの間に複数設けられるものにおいて、送りねじ機構は、全てのスライド装置に設けられていなくてもよい。但し、スライド装置を動作させる駆動力が、車両用シートとフロアとの間に左右均等に作用するように構成された方が、スライド動作に突っ掛かりがなくなり、スライド動作をスムーズに行わせることができる。また、スライド装置は、車両用シートをフロアに対してシート幅方向にスライドさせるように配設されていてもよい。また、アッパレールとロアレールのレール長の長さ関係は、どちらが長く形成されていても構わない。
【００６０】
また、上記実施例では、スライド装置１０において、アッパレール１２をロアレール１１に対して円滑にスライドさせられるように、両者の間に転動体となる鋼球１３を介在させた構成を例示したが、転動体としてローラを用いても良く、また、転動体に代えて摺動性が良好な樹脂シューを介在させたものであってもよい。また、送りねじ機構の送り動作は、手動操作により行われるものであってもよい。
【００６１】
また、上記各実施例では、送りねじを軸回転駆動させる構成とし、ナットを固定支持した構成としたものを例示したが、送りねじを固定支持し、ナットを軸回転駆動させる構成としてもよい。具体的には、ナットを軸回転駆動させる構成としては、弾性体を介してナットを支持するホルダー自体を、例えばギヤ機構等の動力伝達機構を介して軸回転駆動させるようにしてナットを軸回転駆動させる構成が挙げられる。
【００６２】
また、上記実施例１では、本発明の「スペーサー」に相当する各パイプ２６の各端部を、各ホルダー２４に対して、締結ボルト２７Ａと締結ナット２７Ｂとによって締結して結合した構成を例示したが、各ホルダー２４の各パイプ２６の端部があてがえられる部分に凹みを形成して、各パイプ２６をこれらホルダー２４に形成した凹み内に嵌合させることで、これらを前述した隙間Ｔ１（図７参照）を確保した状態に結合する構成としたものであってもよい。
【符号の説明】
【００６３】
１      車両用シート
２      シートバック
３      シートクッション
１０    スライド装置
１１    ロアレール（他方のレール）
１１Ａ  底面部
１１Ｂ  ロア側ひれ部
１１Ｃ  ロア側ひれ部
１１Ｆ  隙間
１２    アッパレール（一方のレール）
１２Ａ  縦面部
１２Ｂ  上面部
１２Ｃ  アッパ側ひれ部
１２Ｄ  アッパ側ひれ部
１３    鋼球
２０    送りねじ機構
２１    送りねじ
２１Ａ  Ｌ字ブラケット
２１Ｂ  Ｌ字ブラケット
２２    ギヤユニット
２２Ａ  ウォーム
２２Ｂ  ウォームホイール
２２Ｃ  ギヤボックス
２３    ナット（ナット）
２４    ホルダー
２４Ａ  中心孔
２４Ｂ  ボルト差孔
２５    ゴムブッシュ（弾性体）
２６    パイプ（スペーサー）
２７Ａ  締結ボルト
２７Ｂ  締結ナット
２８    カバー（スペーサー）
Ｍ      電動モータ
Ｍａ    駆動軸
Ｆ      フロア
Ｔ１    隙間
Ｔ２    隙間
【図１】
2013237411.tif 000003
【図２】
2013237411.tif 000004
【図３】
2013237411.tif 000005
【図４】
2013237411.tif 000006
【図５】
2013237411.tif 000007
【図６】
2013237411.tif 000008
【図７】
2013237411.tif 000009
【図８】
2013237411.tif 000010
【図９】
2013237411.tif 000011
【図１０】
2013237411.tif 000012
【図１１】
2013237411.tif 000013
【図１２】
2013237411.tif 000014
【図１３】
2013237411.tif 000015